(57)【要約】【課題】既存のテレビ受像機と協調して、廉価に地域情報等を配信する情報配信システムを構築することができる情報受信装置を提供する。【解決手段】テレビ放送周波数帯外の所定周波数帯の周波数を有し、防災情報等の緊急情報を含む地域情報等の表示情報を担った特定無線信号を、無線受信手段２６によって受信する。引き続き、信号解析手段２１が、無線受信手段２６によって受信された特定無線信号を解析し、該特定無線信号が担った特定表示情報を抽出する。そして、信号解析手段２１で抽出された表示情報に応じた既存のテレビ受像機９０用の画像表示用信号が、テレビインターフェース手段（１２，２２）を介して、当該既存のテレビ受像機９０に送られる。【選択図】　図３
2004056701.tif 000002
【特許請求の範囲】
【請求項１】
テレビ放送周波数帯外の所定周波数帯の周波数を有し、表示情報を担った特定無線信号を受信して処理する情報受信装置であって、
前記特定無線信号を受信する無線受信手段と；
前記無線受信部が受信した前記特定無線信号を解析し、該特定無線信号が担った表示情報を抽出する信号解析手段と；
前記信号解析部で抽出された表示情報を、テレビ受像機に画像表示させるテレビインターフェース手段と；を備える情報受信装置。
【請求項２】
前記テレビインターフェース手段は、
前記信号解析部で抽出された表示情報を担った前記テレビ受像機の画像表示信号を生成する画像表示信号生成手段と；
前記テレビ受像機の動作状態を検出する動作状態検出手段と；
前記テレビ受像機の動作状態及び表示チャンネルを制御する画像表示制御信号及び表示チャンネル制御信号を含む動作制御信号を生成する動作制御信号生成手段と；を備えることを特徴とする請求項１に記載の情報受信装置。
【請求項３】
前記動作制御信号は無線信号であり、
動作制御信号生成手段は、前記動作制御信号の発生強度を調節する信号強度調節手段を備える、ことを特徴とする請求項２に記載の情報受信装置。
【請求項４】
前記テレビ受像機への通電と非通電と切り替える通電スイッチ手段を更に備え、
前記動作制御信号生成手段は、前記通電スイッチ手段を制御する通電制御信号を更に生成する、ことを特徴とする請求項２又は３に記載の情報受信装置。
【請求項５】
前記テレビ受像機は、非通電状態、待機状態及び画像表示動作状態の３種の通電状態を有し、非通電状態で通電されると画像表示動作状態に遷移するとともに、待機状態で画像表示制御信号を受信すると画像表示動作状態に遷移し、
前記動作制御信号生成手段は、前記表示情報を前記テレビ受像機に表示しようとする際に前記テレビ受像機が非通電状態にあったときには、前記通電制御信号を生成して前記通電スイッチ手段に供給して前記テレビ受像機に通電させることにより、前記テレビ受像機を画像表示動作状態に遷移させ、
前記制御用信号生成手段は、前記表示情報を前記テレビ受像機に表示しようとする際に前記テレビ受像機が待機状態にあったときには、前記画像表示制御信号を生成して前記テレビ受像機に供給することにより、前記テレビ受像機を画像表示動作状態に遷移させる、ことを特徴とする請求項４に記載の情報受信装置。
【請求項６】
前記テレビ受像機は、非通電状態、待機状態及び画像表示状態の３種の通電状態を有し、非通電状態で通電されると待機状態に遷移するとともに、待機状態で画像表示制御信号を受信すると画像表示状態に遷移し、
前記制御用信号生成手段は、前記表示情報を前記テレビ受像機に表示しようとする際に前記テレビ受像機が非通電状態にあったときには、前記通電制御信号を生成して前記通電スイッチ手段に供給して前記テレビ受像機に通電させた後、前記画像表示制御信号を生成して前記テレビ受像機に供給することにより、前記テレビ受像機を画像表示状態に遷移させ、
前記制御用信号生成手段は、前記表示情報を前記テレビ受像機に表示しようとする際に前記テレビ受像機が待機状態にあったときには、前記画像表示制御信号を生成して前記テレビ受像機に供給することにより、前記テレビ受像機を画像表示状態に遷移させる、ことを特徴とする請求項４に記載の情報受信装置。
【請求項７】
前記特定表示情報を音声表示する音声出力手段を更に備える、ことを特徴とする請求項１〜６のいずれか一項に記載の情報受信装置。
【請求項８】
前記特定表示情報は文字情報である、ことを特徴とする請求項１〜７のいずれか一項に記載の情報受信装置。
【請求項９】
前記特定無線信号はページャ信号である、ことを特徴とする請求項１〜８のいずれか一項に記載の情報受信装置。
【発明の詳細な説明】
【０００１】
【発明の属する技術分野】
本発明は、情報受信装置に係り、より詳しくは、テレビ放送周波数帯外の所定周波数帯の周波数を有し、表示情報を担った特定無線信号を受信して処理する情報受信装置に関する。
【０００２】
【従来の技術】
従来から、テレビ放送や文字放送の技術を利用した災害情報等を各家庭に配信する情報配信システムが構築されている。こうした情報配信システムは、テレビ放送や文字放送の技術を利用することから、システム規模が大きく、そのサービス領域が非常に広いものとなっている。
【０００３】
こうした非常に広いサービス領域を対象とする大規模なシステムに対して、より狭い地域をサービス領域として、防災情報等を含むその地域に関する情報をきめ細かく各家庭に配信する地域情報配信システムが注目されている。かかる地域情報配信システムとしては、ページャ通信技術等といったテレビ放送や文字放送よりも小規模の資源で実現できる通信技術を利用することにより、テレビ放送や文字放送の技術を利用した場合と比べて、簡易かつ小規模なシステムを構築することが提案されている。
【０００４】
かかるページャ通信技術等を利用する地域情報配信システムとして提案されているシステムでは、ページャ通信等の基地局から同報通信として送信された、地域情報を担ったページャ信号等を、サービス対象領域の地域における各家庭に設置された専用の受信表示装置で受信して表示する構成となっている。こうした専用の受信表示装置としては、テレビ放送や文字放送の技術を利用する広域情報配信システムの場合と同様の情報伝達能力を具備する必要があることから、通常のテレビ受像機と同様の画像表示能力を有する画像表示部と、音声表示をするための音声出力部とを備える構成が提案されている。
【０００５】
【発明が解決しようとする課題】
上述したように、従来から提案されているページャ通信技術等を利用する地域情報配信システムを構成要素である専用の受信表示装置は、受信したページャ信号等が担った情報を画像表示するために、通常のテレビ受像機と同様の画像表示能力を有する画像表示部を備えることが必須となっている。こうした画像表示部のコストは、通常の場合、当該受信装置の製造コストの５０％以上を占めることになる。このため、こうした専用の受信表示装置を廉価に製造することは困難である。その結果、各家庭にあまねく当該受信装置を設置しようとすると、システム価格が高価なものになってしまう。
【０００６】
このため、従来から提案されているページャ通信技術等を利用する地域情報配信システムの導入が見送られ、こうした地域情報配信システムの普及が阻害される可能性があることが懸念されている。
【０００７】
本発明は、上記の事情を鑑みてなされたものであり、現在の社会的及び家庭的なインフラストラクチャとなっている資源と協調して、廉価に地域情報等を配信する情報配信システムを構築することができる情報受信装置を提供することを目的とする。
【０００８】
【課題を解決するための手段】
本発明の情報受信装置は、テレビ放送周波数帯外の所定周波数帯の周波数を有し、表示情報を担った特定無線信号を受信して処理する情報受信装置であって、前記特定無線信号を受信する無線受信手段と；前記無線受信部が受信した前記特定無線信号を解析し、該特定無線信号が担った表示情報を抽出する信号解析手段と；前記信号解析部で抽出された表示情報を、テレビ受像機に画像表示させるテレビインターフェース手段と；を備える情報受信装置である。
【０００９】
この情報受信装置では、テレビ放送周波数帯外の所定周波数帯の周波数を有し、防災情報等の緊急情報を含む地域情報等の表示情報を担った特定無線信号を、無線受信手段によって受信する。引き続き、信号解析手段が、無線受信手段によって受信された特定無線信号を解析し、該特定無線信号が担った特定表示情報を抽出する。そして、信号解析手段で抽出された表示情報に応じた既存のテレビ受像機用の画像表示信号が、テレビインターフェース手段を介して、当該既存のテレビ受像機に例えばＲＧＢ信号として送られる。
【００１０】
この結果、テレビ受像機において表示チャンネルとして例えば外部からのＲＧＢ信号入力チャンネルが選択されているときに、地域情報等が画像表示される。したがって、本発明の情報受信装置と、現在の社会的及び家庭的なインフラストラクチャとなっている資源である既存のテレビ受像機とが協調して動作することにより、地域情報等の表示情報を受信して表示することができる。すなわち、本発明の情報受信装置を使用することにより、廉価に地域情報等を配信する情報配信システムを構築することができる。
【００１１】
本発明の情報受信装置では、前記テレビインターフェース手段が、前記信号解析部で抽出された表示情報を担った前記テレビ受像機の画像表示信号を生成する画像表示信号生成手段と；前記テレビ受像機の動作状態を検出する動作状態検出手段と；前記テレビ受像機の動作状態及び表示チャンネルを制御する画像表示制御信号及び表示チャンネル制御信号を含む動作制御信号を生成する動作制御信号生成手段と；を備える構成とすることができる。
【００１２】
かかる場合には、動作監視手段がテレビ受像機の動作状態を検出する。引き続き、その検出結果及び表示情報の緊急性に応じて、動作制御信号生成手段が、画像表示動作を開始させる電源オン／オフ信号等の画像表示制御信号や表示チャンネルを制御するチャンネル制御信号といった動作制御信号を生成してテレビ受像機に供給することにより、テレビ受像機による画像表示を制御する。そして、こうした制御を行いつつ、画像表示信号生成手段が生成した、表示情報を担ったテレビ受像機の画像表示信号をテレビ受像機に供給することにより、表示情報の重要度や緊急度に応じて、適切な画像表示をテレビ受像機においてすることができる。
【００１３】
ここで、前記動作制御信号が無線信号であるときには、動作制御信号生成手段が、前記動作制御信号の発生強度を調節する信号強度調節手段を備える構成とすることができる。かかる場合には、信号強度調節手段によって動作制御信号の発生強度を調節することにより、動作制御信号のテレビ受像機までの伝播経路環境に応じて、テレビ受像機に対して十分な強度で動作制御信号を供給することができる。
【００１４】
また、前記テレビ受像機への通電と非通電と切り替える通電スイッチ手段を更に備え、前記動作制御信号生成手段が、前記通電スイッチ手段を制御する通電制御信号を更に生成する構成とすることができる。かかる場合には、テレビ受像機の制御の前提となるテレビ受像機の通電／非通電を、動作制御信号生成手段が生成する通電制御信号によって行うことができるので、稀に発生する緊急情報のためにテレビ受像機を常時通電状態とする必要が無くなるので、消費電力を低減することができる。
【００１５】
この場合、前記テレビ受像機が、非通電状態、待機状態及び画像表示動作状態の３種の通電状態を有し、非通電状態で通電されると画像表示動作状態に遷移するとともに、待機状態で画像表示制御信号を受信すると画像表示動作状態に遷移するときには、前記動作制御信号生成手段は、前記表示情報を前記テレビ受像機に表示しようとする際に前記テレビ受像機が非通電状態にあったときには、前記通電制御信号を生成して前記通電スイッチ手段に供給して前記テレビ受像機に通電させることにより、前記テレビ受像機を画像表示状態に遷移させ、また、前記表示情報を前記テレビ受像機に表示しようとする際に前記テレビ受像機が待機状態にあったときには、前記画像表示制御信号を生成して前記テレビ受像機に供給することにより、前記テレビ受像機を画像表示状態に遷移させる構成とすることができる。
【００１６】
また、前記テレビ受像機が、非通電状態、待機状態及び画像表示状態の３種の通電状態を有し、非通電状態で通電されると待機状態に遷移するとともに、待機状態で画像表示制御信号を受信すると画像表示状態に遷移するとき、前記動作制御信号生成手段が、前記表示情報を前記テレビ受像機に表示しようとする際に前記テレビ受像機が非通電状態にあったときには、前記通電制御信号を生成して前記通電スイッチ手段に供給して前記テレビ受像機に通電させた後、前記画像表示制御信号を生成して前記テレビ受像機に供給することにより、前記テレビ受像機を画像表示状態に遷移させ、また、前記表示情報を前記テレビ受像機に表示しようとする際に前記テレビ受像機が待機状態にあったときには、前記画像表示制御信号を生成して前記テレビ受像機に供給することにより、前記テレビ受像機を画像表示状態に遷移させる構成とすることができる。
【００１７】
また、本発明の情報受信装置では、前記表示情報を音声表示する音声出力手段を更に備える構成とすることができる。かかる場合には、音声により、当該表示情報を伝達することができるとともに、かかる当該表示情報の音声表示により、テレビ受像機への表示部への画像表示を促すことができる。
【００１８】
また、本発明の情報受信装置では、前記表示情報を文字情報とすることができる。
【００１９】
また、前記特定無線信号をページャ信号とすることができる。
【００２０】
【発明の実施の形態】
以下、本発明の一実施形態を、添付の図１〜図３を参照して説明する。
【００２１】
図１（Ａ）及び図１（Ｂ）には、本発明の一実施形態に係る情報受信装置１０の概略的な外観が示されている。この情報受信装置１０は、地域情報を担ったページャ信号を受信して、その地域情報を音声出力したり、後述するテレビ受像機９０（図２参照）に画像表示させたりするものである。ここで、図１（Ａ）には、情報受信装置１０の前面側外観図が斜視図にて示され、また、図１（Ｂ）には、情報受信装置の背面側外観図が斜視図にて示されている。
【００２２】
情報受信装置１０は、図１（Ａ）に示されるように、その前面側に、（ａ）音声出力のためのスピーカ部１１と、（ｂ）画像表示信号（ＲＧＢ信号）をテレビ受像機９０へ供給するための画像信号出力用コネクタ部１２と、（ｃ）待機状態又は画像表示動作状態というテレビ受像機９０の動作状態及び表示チャンネルを制御するリモートコントロール信号（以下、「リモコン信号」と略す）をテレビ受像機９０へ供給するためのリモコン信号送信部１３とを備えている。また、情報受信装置１０は、その前面側に、（ｄ）ユーザがマニュアル操作で、テレビ受像機９０への通電及び非通電を指令するための通電指令スイッチ１４と、（ｅ）ユーザがマニュアル操作で、リモコン信号送信部１３から送信されるリモコン信号の強度を調節するための強度調節ダイアル１５とを備えている。
【００２３】
また、情報受信装置１０は、図１（Ｂ）に示されるように、その背面側に、（ｅｅ）テスト実行を行うのかを指定するモード設定スイッチ１６と、（ｆ）接続されるテレビ受像機９０の電源ケーブルのプラグを差し込むためのコンセント１７とを備えている。さらに、情報受信装置１０は、その背面側に、（ｇ）ユーザがマニュアル操作で、情報受信装置１０自身への通電及び非通電を設定する機械式のスイッチである電源スイッチ１８と、（ｈ）情報受信装置１０自身の電源ケーブル１９とを備えている。
【００２４】
この情報受信装置１０は、例えば図２に示されるように、テレビ受像機９０のための設置台９６におけるテレビ受像機９０の下側に配置される。そして、情報受信装置１０とテレビ受像機９０との接続の際には、情報受信装置１０の画像信号出力用コネクタ部１２とテレビ受像機９０の画像信号入力用コネクタ部９１とが信号ケーブルによって接続される。また、情報受信装置１０のリモコン信号送信部１３から送信されたリモコン信号は、リモコン装置９５による場合のように直接的にはテレビ受像機９０のリモコン信号受信部９２には到達しないが、周囲の壁等で反射した後にリモコン信号受信部９１に入力するようになっている。ここで、周囲環境に応じて上述した強度調節ダイアル１５を操作して、リモコン信号送信部１３から送信されるリモコン信号の強度を調節することにより、十分な強度のリモコン信号をリモコン信号受信部９２に供給することが確保できるようになっている。
【００２５】
なお、背面側であることから図２には示されていないが、情報受信装置１０とテレビ受像機９０との接続の際には、情報受信装置１０のコンセント１７に、テレビ受像機９０の電源ケーブルのプラグが差し込まれる。そして、情報受信装置１０の電源ケーブル１９のプラグは、商用電力が供給されているコンセントに差し込まれる。
【００２６】
次に、情報受信装置１０の内部構成について説明する。情報受信装置１０は、図３に示されるように、その内部に、図１に示された構成要素以外に、（ａ）処理部２０と、（ｂ）電源ケーブル１９及び電源スイッチ１８を介して供給された商用電力から、処理部２０が動作のために必要とする所定の電圧の電力を生成して、処理部２０へ供給する内部電源３１と、（ｃ）商用電力をテレビ受像機９０に通電するか否かを切り替えるスイッチ３２と、（ｄ）テレビ受像機９０に通電された商用電力の電流量を検出する電流計３３とを備えている。ここで、スイッチ３２は、処理部２０（より詳しくは、後述する制御部２１）からの指令信号に応じて開閉するようになっている。また、電流計３３による検出結果は、処理部２０（より詳しくは、後述する制御部２１）へ通知される。また、スイッチ３２を介した商用電力は、さらにコンセント１７を介した後、テレビ受像機９０に供給されるようになっている。
【００２７】
前記処理部２０は、（ｉ）基地局９９から送信されたページャ信号をアンテナ２７で受信し、信号復調部２８によって復調処理をするページャ信号処理部２６と、（ｉｉ）ページャ信号処理部２６からの復調データから地域情報を抽出するとともに、情報受信装置１０全体を統括制御する制御部２１と、（ｉｉｉ）制御部２１から通知された地域情報データを画像表示信号（ＲＧＢ信号）へ変換し、画像信号出力用コネクタ部１２へ向けて出力する画像表示信号変換部２２と、（ｉｖ）制御部２１から通知された地域情報データを音声信号に変換して、スピーカ部１１へ向けて出力する音声信号変換部２３とを備えている。
【００２８】
前記制御部２１には、スイッチ３２、電流計３３、画像表示信号変換部２２及び音声信号変換部２３以外に、リモコン信号送信部１３、通電指令スイッチ１４及びモード設定スイッチ１６が接続されている。そして、制御部２１は、抽出された地域情報が緊急情報であって場合には、スイッチ３２を必要に応じて制御するとともに、リモコン信号送信部１３を介してテレビ受像機９０の動作状態及び表示チャンネルを制御して、強制的にテレビ受像機９０に地域情報を表示させる。また、制御部２１は、通電指令スイッチ１４からの通電指示又は非通電指示を受信して、スイッチ３２を開閉する。
【００２９】
また、制御部２１は、モード設定スイッチ１６によるモード設定を読み取り、テストモードが設定されていたときには、リモコン信号を、リモコン信号送信部１３を介してテレビ受像機９０に試験的に送信する。かかる試験的なリモコン信号の送信を行っている際に、強度調節ダイアル１５をマニュアル操作することにより、テレビ受像機９０のリモコン信号受信部９２に十分な強度のリモコン信号を供給できるように、リモコン信号送信部１３から送信されるリモコン信号の強度を調節することができる。
【００３０】
次に、以上のように構成された情報受信装置１０の動作を説明する。なお、以下の説明においては、上述したモード設定スイッチ１６によるテストモードの設定時における強度調節ダイアル１５の操作により、テレビ受像機９０のリモコン信号受信部９２に十分な強度のリモコン信号を供給できるように、リモコン信号送信部１３から送信されるリモコン信号の強度が調節されているものとする。また、モード設定スイッチ１６により、テストモードではない通常動作モードが設定されているものとする。さらに、電源ケーブル１９のプラグは商用電力が供給されているコンセントに差し込まれており、電源スイッチ１８はオンとされているものとする。
【００３１】
基地局９９からの地域情報を担ったページャ信号をページャ信号処理部２６が受信すると、ページャ信号処理部２６は、ページャ信号の復調処理を行い、復調データを制御部２１へ向けて出力する。この復調データを受信した制御部２１は、受信した復調データに含まれる地域情報を抽出し、抽出された地域情報が防災情報のような緊急情報であるか否かを判定する。
【００３２】
この判定の結果、抽出された地域情報が緊急情報でなかったと判定された場合には、制御部２１は、直ちに地域情報のデータを画像表示信号変換部２２及び音声信号変換部２３へ向けて出力する。そして、地域情報の画像表示信号は、画像表示信号変換部２２から画像信号出力用コネクタ部１２を介して、テレビ受像機９０へ向けて出力される。
【００３３】
この結果、緊急情報ではない地域情報は、スピーカ部１１から確実に音声表示される。一方、この地域情報は、テレビ受像機９０が通電されており、画像表示動作中であり、さらに、画像表示チャンネルが地域情報表示チャンネルに設定されているという条件が満たされているときに、当該地域情報がテレビ受像機９０に画像表示される。この条件が満たされていないときには、当該地域情報はテレビ受像機９０に画像表示されないが、スピーカ部１１からの音声表示により、ユーザに対してテレビ受像機９０への画像表示を促すことはできる。
【００３４】
上記の条件が満たされていないときに、スピーカ部１１からの音声表示によりユーザが当該地域情報に興味を持ち、画像表示を使用とするときには、通電指令スイッチ１４やリモコン装置９５を操作して、当該条件を満たすようにすればよい。
【００３５】
上述した抽出された地域情報が緊急情報であるか否かの判定によって、この地域情報が緊急情報であると判定された場合には、制御部２１は、テレビ受像機９０が通電状態にあるか否かを判定する。かかる判定は、最新のユーザによる通電指令スイッチ１４の操作に応じた制御部２１による制御により、スイッチ３２が開いた状態にあるのか、閉じた状態にあるのかに応じてなされる。すなわち、制御部２１は、スイッチ３２が開いた状態にあるときにはテレビ受像機９０が非通電状態にあると判定し、一方、スイッチ３２が閉じた状態にあるときにはテレビ受像機９０が通電状態にあると判定する。そして、テレビ受像機９０が非通電状態にあると判定されたときには、制御部２１は、スイッチ３２を制御して閉じさせる。こうして、テレビ受像機９０が通電状態にあることが確保される。
【００３６】
次に、制御部２１は、電流計３３から通知されたテレビ受像機９０における消費電流量に基づき、テレビ受像機９０が、待機状態にあるか、画像表示状態にあるかを判定する。すなわち、制御部２１は、電流計３３から通知されたテレビ受像機９０における消費電流量が所定の閾値以下の場合には待機状態にあると判定し、一方、消費電流量が所定の閾値を超えている場合には画像表示動作状態にあると判定する。そして、テレビ受像機９０が待機状態にあると判定されたときには、制御部２１は、リモコン信号送信部１３を介して、画像表示制御信号をテレビ受像機９０に送信して、テレビ受像機９０を画像表示動作状態に遷移させる。こうして、テレビ受像機９０が画像表示動作にあることが確保される。
【００３７】
引き続き、制御部２１は、リモコン信号送信部１３を介して、チャンネル制御信号をテレビ受像機９０に送信して、テレビ受像機９０の画像表示チャンネルを地域情報表示チャンネルに設定する。
【００３８】
以上の動作と並行して、制御部２１は、上述した緊急情報ではない地域情報の場合と同様にして、地域情報のデータを画像表示信号変換部２２及び音声信号変換部２３へ向けて出力する。そして、地域情報の画像表示信号は、画像表示信号変換部２２から画像信号出力用コネクタ部１２を介して、テレビ受像機９０へ向けて出力される。この結果、緊急情報である地域情報は、スピーカ部１１から確実に音声表示されるとともに、テレビ受像機９０により確実に画像表示される。
【００３９】
なお、基地局からの緊急情報である地域情報の受信が終了すると、制御部２１は、リモコン信号送信部１３を介したチャンネル制御信号及び画像表示制御信号の送信や、スイッチ３２の制御を行うことにより、テレビ受像機９０を緊急情報である地域情報の受信前の状態に復旧させる。
【００４０】
以上説明したように、本実施形態の情報受信装置１０によれば、地域情報を担ったページャ信号を受信し、該地域情報を抽出する。そして、抽出された地域情報に関する画像表示信号をテレビ受像機９０に送信する。したがって、情報受信装置１０と、現在の社会的及び家庭的なインフラストラクチャとなっている資源である既存のテレビ受像機９０と協調して動作することにより、ページャ信号が担った地域情報をテレビ受像機９０に画像表示することができるので、廉価に地域情報を配信する情報配信システムを構築することができる。
【００４１】
また、抽出された地域情報の重要度や緊急度に応じて適宜既存のテレビ受像機９０を制御して当該地域情報をテレビ受像機９０に表示させるので、地域情報の重要度や緊急度に応じて、適切な画像表示をテレビ受像機９０においてすることができる。
【００４２】
また、リモコン信号送信部１３から送信されるリモコン信号の強度を、強度調節ダイアル１５によって調節できるので、テレビ受像機９０までのリモコン信号の伝播経路環境に応じて、テレビ受像機９０に対して十分な強度でリモコン信号を供給することができる。
【００４３】
また、テレビ受像機９０への通電と非通電と切り替えるスイッチ３２を備え、ユーザによる通電指令スイッチ１４に応じてスイッチ３２の開閉を制御するとともに、緊急な地域情報をした場合にも適宜スイッチ３２の開閉を制御するので、稀に発生する緊急情報のためにテレビ受像機９０を常時通電状態とする必要が無くなり、消費電力を低減することができる。
【００４４】
また、受信した地域情報を、画像表示が実際に行われるか否かにかかわず音声表示するので、音声により、当該地域情報を伝達することができるとともに、テレビ受像機９０による画像表示をユーザに促すことができる。
【００４５】
なお、上記の実施形態では、地域情報を担った信号をページャ信号としたが、本発明の適用にあたっては、テレビ放送信号と異なる信号であれば他の種類の信号であってもよく、無線信号であるか、有線信号であるかを問わない。
【００４６】
また、上記の実施形態では、表示されるべき情報を地域情報としたが、本発明の適用にあたっては、画像表示可能な情報であれば、情報の種類を問わない。
【００４７】
【発明の効果】
以上、詳細に説明したように、本発明の情報受信装置によれば、既存のテレビ受像機と協調して動作することにより、受信した信号が担った表示すべき情報をテレビ受像機に画像表示することができるので、廉価に情報を配信する情報配信システムを構築することができる。
【図面の簡単な説明】
【図１】図１（Ａ）及び図１（Ｂ）は、本発明の一実施形態に係る情報受信装置の概略的な外観構成を示す図である。
【図２】図１（Ａ）及び図１（Ｂ）の情報受信装置とテレビ受像機の接続形態の例を説明するための図である。
【図３】図１（Ａ）及び図１（Ｂ）の情報受信装置の内部構成を示すブロック図である。
【符号の説明】
１０…情報受信装置、１１…スピーカ部（音声出力手段の一部）、１２…画像信号出力用コネクタ部（テレビインターフェース手段の一部）、１３…リモコン信号送信部（動作制御信号生成手段、テレビインターフェース手段の一部）、１５…強度調節ダイアル（信号強度調節手段）、２１…制御部（無線受信手段）、２２…画像表示信号変換部（画像表示信号生成手段、テレビインターフェース手段の一部）、２３…音声信号変換部（音声出力手段の一部）、２６…ページャ信号処理部（無線受信手段）、３２…スイッチ（通電スイッチ手段）、３３…電流計（動作状態検出手段、テレビインターフェース手段の一部）。
【図１】
2004056701.tif 000003
【図２】
2004056701.tif 000004
【図３】
2004056701.tif 000005